(57)【要約】      （修正有）【課題】夜間でもウォーキング用ポールを用いて安全なウォーキングを行うことができ、使用者の身長に合わせて長さ調整が可能であり、さらに、腕や肩に衝撃が伝わりづらいウォーキング用ポールを提供する。【解決手段】シャフト１０と、前記シャフト１０の上端部に設けられたグリップ２と、前記シャフト１０の下端部に設けられた石突３からなるウォーキング用ポールであって、前記シャフト１０にライト５が取り付けられていることを特徴とする。【選択図】図１
0003179840.tif 000002
【実用新案登録請求の範囲】
【請求項１】
シャフトと、前記シャフトの上端部に設けられたグリップと、前記シャフトの下端部に設けられた石突からなるウォーキング用ポールであって、前記シャフトにライトが取り付けられていることを特徴とするウォーキング用ポール。
【請求項２】
前記シャフトが、１木の外パイプと、前記外パイプの内径より小さい外径の１本の内パイプと、前記外パイプと前記内パイプを固定する固定部材から構成され、内パイプが外パイプの内壁に沿って摺動可能に挿入され、前記固定部材により所定の位置で固定することにより、長さ調整が可能であることを特徴とする請求項１に記載のウォーキング用ポール。
【請求項３】
前記シャフトの中間部に、クッショシ部材が設けられていることを特徴とする請求項１又は２に記載のウォーキング用ポール。
【請求項４】
前記石突又は石突の近傍に、着脱可能なポールキャップが取り付けられていることを特徴とする請求項１から３のいずれか一項に記載のウォーキング用ポール。
【考案の詳細な説明】
【考案の詳細な説明】
【技術分野】
【０００１】  本考案は、ウォーキング時に用いるウォーキング用ポールに関するものである。
【背景技術】
【０００２】  近年、運動不足の解消、痩身等を目的として、年齢、性別等に応じて種々のウォーキングが盛んに行われている。【０００３】  これらのウォーキングの中でもノルディックウォーキングと呼ばれるウォーキングが、エクササイズやフィットネスの１つとして広がりを見せている。【０００４】  ノルディックウォーキングは、もともとスキーヤーのオフシーズンのトレーニング法として考案されたものであり、両手にスキーのストック様のポールを持ってウォーキングを行うものである。【０００５】  このノルディックウォーキングは、一般的なウォーキングとは異なり、下半身のみでなく、上半身の筋肉がより積極的に使われるため、首や肩の血行も促進され全身を効率よく鍛えることができる。【０００６】  また、ノルディックウォーキングでは、下肢への負担を減らしたり、転倒防止の役割を有するポールを用いるため、年齢、性別を問わず行うことができ、特に高齢者に好適なウォーキングとされている。【０００７】  このようなノルディックウォーキングに用いるウォーキング用ポールにおいては、これまでに種々のものが提案されており、特にグリップ部分に改良を加えて保持しやすくしたものが提案されている（例えば、特許文献１〜３を参照）。
【先行技術文献】
【特許文献】
【０００８】
【特許文献１】特表２００８−５２５０６１号公報
【特許文献２】特開２００８−５２９５６６号公報
【特許文献３】特開２００９−５４４３７４号公報
【考案の概要】
【考案が解決しようとする課題】
【０００９】  一方、ウォーキングは場所や時間を選ばず、誰でも手軽に行える運動であるため、例えば夜間にノルディックウォーキングを行う場合には、前方の視認性が悪いことにより、ウォーキング用ポールがものや人に接触するなど、事故につながる危険性があった。【００１０】  また、使用者の身長に合った長さのウォーキング用ポールを用いる必要があるため、メーカーは長さの異なるウォーキングポールを複数用意する必要があった。【００１１】  さらに、地面の状況が確認しづらいために、ウォーキング用ポールからの衝撃により腕や肩を痛めるといった危険性も指摘されていた。【００１２】  本考案は、以上の通りの事情に鑑みてなされたものであり、夜間でもウォーキング用ポールを用いて安全なウォーキングを行うことができ、使用者の身長に合わせて長さ調整が可能であり、さらに、腕や肩に衝撃が伝わりづらいウォーキング用ポールを提供することを課題とする。
【課題を解決するための手段】
【００１３】  上記課題を解決するための本考案は、以下の技術的手段から構成される。【００１４】  第１に、シャフトと、前記シャフトの上端部に設けられたグリップと、前記シャフトの下端部に設けられた石突からなるウォーキング用ポールであって、前記シャフトにライトが取り付けられていることを特徴とする。【００１５】  第２に、上記第１の考案のウォーキング用ポールにおいて、前記シャフトが、１本の外パイプと、前記外パイプの内径より小さい外径の１本の内パイプと、前記外パイプと前記内パイプを固定する固定部から構成され、内パイプが外パイプの内壁に沿って摺動可能に挿入され、前記固定部により所定の位置で固定することにより、長さ調整が可能であることが好ましい。【００１６】  第３に、上記第１又は第２の考案のウォーキング用ポールにおいて、前記シャフトの中間部に、クッション部材が設けられていることが好ましい。【００１７】  第４に、上記第１から第３の考案のウォーキング用ポールにおいて、前記石突又は石突近傍に、着脱可能なポールキャップが取り付けられていることが好ましい。
【考案の効果】
【００１８】  本考案のウォーキング用ポールによれば、夜間でもウォーキング用ポールを用いて安全なウォーキングを行うことができ、さらに、腕や肩に衝撃が伝わりづらいウォーキング用ポールを提供することができる。
【図面の簡単な説明】
【００１９】
【図１】本考案のウォーキング用ポールの概略正面図である。
【図２】本考案のウォーキング用ポールのライトの使用状態を示す概略正面図である。
【図３】着脱可能なポールキャップの取り付け状態を示す斜視図である。（Ａ）は標準タイプのポールキャップを取り付けた状態、（Ｂ）は斜めタイプのポールキャップを取り付けた状態、（Ｃ）はバスケットタイプのポールキャップを取り付けた状態を示す。
【考案を実施するための形態】
【００２０】  本考案のウォーキング用ポールは上記のとおりの特徴をもつものであるが、以下に図面を用いて、本考案の実施の形態について詳細かつ具体的に説明する。
【００２１】  本実施の形態によるウォーキング用ポールは、図１に示すように、シャフト１０と、シャフト１０の上端部に設けられたグリップ２と、シャフト１０の下端部に設けられた石突３から構成されている。グリップ２には、手を挿入する輪状のストラップ４が取り付けられており、このストラップ４は輪の大きさを調整することができるようになっている。
【００２２】  また、石突３又は石突３近傍には、図３（Ａ）〜（Ｃ）に示すような平型タイプ６０、斜めタイプ６１、バスケットタイプ６２等の形状のポールキャップを取り付けることができ、これらは使用状況に応じて適宜選択して用いることができる。
【００２３】  例えば、通常の舗装道路で使用する場合には、石突３のままでは舗装を傷つける可能性があるため、石突３に被せるように平型タイプ６０や斜めタイプ６１のポールキャップを取り付けるのが好ましい。
【００２４】  特に、斜めタイプ６１のポールキャップは、接地した時のウォーキング用ポール先端のグリップ力を効果的に発現するような形状となっているため特に好ましい。
【００２５】  また、舗装道路以外の芝、砂地、土、ぬかるみ等では、石突３を地面に刺してウォーキングができるように、石突３が露出した状態で取り付けるために、石突３より少し上方寄りの近傍にバスケットタイプ６２を取り付けるのが好ましい。
【００２６】  また、本考案のウォーキング用ポールでは、グリップ２近傍のシャフト１０に、図２に示すように着脱自在のライト５が取り付けられている。このライト５は電池を内蔵し、手元でのスイッチのＯＮ、ＯＦＦにより点灯、消灯ができるものである。
【００２７】  本考案では、上記のようなライト５であれば、特に形状や性能についての制限はないが、小型、軽量であることや、電池の寿命、明るさを考慮した場合、ＬＥＤライトを好適に採用することができる。
【００２８】  ライト５のライティング方向は、手元で自由に変更、調整することが可能であり、夜間等の暗いときには、やや下向きにセットして、ウォーキング時に前方の地面を照らすように用いるものである。
【００２９】  また、ライティング方向を地面と平行方向に照らすようにセットすることにより、自転車や自動車からの認識用の照明としても用いることができる。
【００３０】  また、ライト５を用いないときには、ウォーキングの邪魔にならないようにライト５をシャフト１０と略平行になるように下方に向けて収納することもできる。
【００３１】  また、本考案で用いるライト５においては、ウォーキング中の振動により、ライト５のライティング方向が下方にずれることを考慮して、一定の角度以上にライティング方向が下方に傾かないように傾斜ストッパー機構を採用することもできる。
【００３２】  このような傾斜ストッパー機構を採用した場合に、ライト５を使用しないときに収納するためには、シャフト１０に対するライト５の取り付け方向を上下逆にすることにより、ライト５を下向きにしてシャフトに略平行に折り畳んで収納することができる。
【００３３】  また、本考案のシャフト１０は、１本の外パイプ１１と、前記外パイプ１１の内径より小さい外径の１本の内パイプ１２と、前記外パイプ１１と前記内パイプ１２を固定する固定部材１３から構成され、内パイプ１２を外パイプ１１の内壁に沿って摺動可能に挿入し、固定部材１３により所定の位置で固定することにより、長さ調整を可能にすることができる。
【００３４】  この固定部材１３は、外パイプ１１と内パイプ１２を所定の位置で固定できる機構のものであれば特に制限なく採用することができる。
【００３５】  このような固定部材１３の具体例としては、内パイプ１２の外パイプ１１挿入部分に設けられ、内パイプ１２を回転することにより傘のように広がって外パイプ１１の内壁を押圧、固定する固定部材１３を挙げることができる。
【００３６】  上記の固定部材１３を設けた場合には、外パイプ１１と内パイプ１２をスライドして所望の長さにした後、内パイプ１２を回転させることにより容易に外パイプ１１と内パイプ１２を固定させることができ、シャフト１０の長さを調整可能とすることができる。
【００３７】  このようにシャフト１０の長さを調整可能とすることにより、身長に合った最適な長さのウォーキング用ポールとすることができる。
【００３８】  さらに、本考案のウォーキング用ポールでは、シャフト１０の中間部に、図示しないクッション部材を介在させることによりダンパー機能を付与したシャフト１０とすることもできる。
【００３９】  クッション部材は、シャフト１０の中間部であれば設ける位置に制限はなく、シャフト１０の先端部近傍、あるいはグリップ２近傍のシャフト１０に設けることができる。
【００４０】  クッション部材は、シャフト１０の長手方向に対して衝撃を緩和できるものであれば特に制限はなく、長さ調整用の外パイプ１１及び内パイプ１２とは別に、図示しないクッション部材用の外パイプ及び内パイプの構成を設けて、その挿入部分にバネ等のクッション部材を内蔵してダンパー機能を付与させることができる。
【００４１】  このようにシャフト１０にダンパー機能を付与することにより、石突３から伝達してシャフト１０に伝達した衝撃をダンパーで吸収させることにより、グリップ２に伝達させないようにできるため、使用者の腕や肩を痛めることを防止することができる。
【００４２】  以上、本考案を一実施形態に基づいて説明したが、もちろん本考案は上記実施形態に限定されるものではなく、種々の変形、変更が可能である。
【００４３】  例えば、上記実施形態では、ライト５を着脱自在に取り付けるようにしたが、取り外しができないように固定することもできる。
【００４４】  また、ライト５の位置はグリップ２近傍ではなく、ポールキャップの取り付け部近傍とすることも可能である。
【符号の説明】
【００４５】１０  シャフト
１１  外パイプ
１２  内パイプ
１３  固定部材
２    グリップ
３    石突
４    ストラップ
５    ライト
６０  平型タイプ（ポールキャップ）
６１  斜めタイプ（ポールキャップ）
６２  バスケットタイプ（ポールキャップ）
【図１】
0003179840.tif 000003
【図２】
0003179840.tif 000004
【図３】
0003179840.tif 000005